(57)【要約】【課題】読影に際しての読影者の負担を軽減することを可能とする。【解決手段】被験者について一連の撮影順番で撮影して得られる複数の画像を蓄積し、読影者による読影に際して蓄積された複数の画像を表示する手段を有した画像表示装置において所望の読影の順番を予め設定する手段と、前記予め設定された読影の順番に対応して前記複数の画像を前記表示手段に表示させる手段とを備えている。【選択図】図１
2006198169.tif 000002
【特許請求の範囲】
【請求項１】
被検者について一定の撮影順番で撮影して得られる複数の画像を蓄積し、読影者による読影に際して該蓄積された複数の画像を表示する手段を有した画像表示装置において、
前記複数の画像の所望の読影の順番を予め設定する手段と、前記予め設定された読影の順番に対応して前記複数の画像を前記表示手段に表示させる手段とを備えたことを特徴とする画像表示装置。
【請求項２】
前期設定手段は、前記被験者の撮影部位に応じてそれぞれ設定することを特徴とする請求項１に記載の画像表示装置。
【発明の詳細な説明】
【技術分野】
【０００１】
本発明は、例えばバリウムなどの造影剤を処置した被験者に対し造影剤の体内で流れに応じた所定の順番で撮影して得られる複数の医療画像を読影者（医師）が順次に読影するのに用いられる画像表示装置に関する。
【背景技術】
【０００２】
例えば胃部検査の場合には、被験者にバリウムなどの造影剤を経口投与し、その造影剤が食道、胃、十二指腸などの臓器に至る順番で複数の画像を撮影する。そしてその複数の画像を画像表示装置で順次に表示しながら読影者が読影して病変の発生の有無を診断する。このような画像診断で用いられる従来の画像表示装置は、複数の画像をその撮影の順番で画像格納部に書き込み、その書き込み順で画像格納庫より読み出して表示する、つまり撮影された順番に画像を表示するようになっていた。なお画像で病変の有無などの診断を行う技術に関しては例えば特許文献１に記載の例が知られている。
【０００３】
【特許文献１】特開平８−８６７７６号公報
【発明の開示】
【発明が解決しようとする課題】
【０００４】
しかしながら、上記従来技術は特に被験者の消化管検査において、病変の発生しやすいあるいは病変の進行のしやすい部位は、例えば、食道と胃、胃と十二指腸などの臓器の継ぎ部分に生じやすいという臨床的見地があり、その臨床的見地を踏まえた効率的な検査をするための配慮がされていない。
【０００５】
特に読影者が多人数をまとめて検査する集団検診のように数百枚単位で画像の読影を行う場合、毎回同じような画像の表示順序の設定操作は徒に読影者を疲れさせ、病変の検出に対する集中力を低下させることが危惧される。
【０００６】
本発明の目的は、画像の表示順序の設定操作を自動化して読影者による診断効率を向上した画像表示装置を提供することにある。
【課題を解決するための手段】
【０００７】
被検者について一定の撮影順番で撮影して得られる複数の画像を蓄積し、読影者による読影に際して該蓄積された複数の画像を表示する手段を有した画像表示装置において、
前記複数の画像の所望の読影の順番を予め設定する手段と、前記予め設定された読影の順番に対応して前記複数の画像を前記表示手段に表示させる手段とを備えたことを特徴とする画像表示装置により解決される。
【０００８】
前期設定手段は、前記被験者の撮影部位に応じてそれぞれ設定することを特徴とする画像表示装置により解決される。
【発明の効果】
【０００９】
本発明では、画像表示装置に複数の画像の表示順番を予め設定するための表示順番設定手段を設け、この表示順番設定手段で予め設定した表示順番で画像の表示を行えるようにしている。このため本発明によれば、病変の集中する部位あるいは読影者ごとにもっとも検査しやすい順番による画像の表示を自動的になすことができ、読影者が自分に適した表示順を操作する必要のあった従来に比べて、読影者の負担を大幅に軽減することが可能となる。
【発明を実施するための最良の形態】
【００１０】
以下、本発明の実施の形態について説明する。図１に一実施形態による画像表示装置の構成を示す。本実施形態の画像表示装置は、画像格納部１、表示制御部２、表示部３、入力部４、および表示順番設定手段となる表示順番設定部５を備えている。画像格納部１には、画像が格納されている。画像は、例えばデジタルラジオグラフィー撮影装置によるＸ線撮影などで得られたものである。その画像格納部１における画像の格納は、一人の被験者について所定の順番で複数の画像が撮影される。こうした画像による検査としては、胃検査や大腸検査が代表的なものとしてある。
【００１１】
画像格納部１に格納されている画像は、表示制御部２による制御の下で、画像セットを単位として画像セットにおける複数の画像が所定の順番で表示部３に表示されて読影者により読影を受ける。画像セットにおける複数の画像の表示は、表示順番設定部５で予め設定してある順番でなされる。予め設定とは、例えば胃検査では、画像１が食道、画像２が食道と胃、画像３が胃、画像４が胃と十二指腸、画像５が十二指腸とした場合、画像２、４、１、３、５と設定する。
【００１２】
表示順番設定部５は、図２にその例を示すような表示順番設定テーブル６を有している。表示順番設定テーブル６は、読影者の項目と検査対象部位の項目を有しており、読影者ごとおよび検査対象部位ごとで画像セットにおける複数の画像の表示順番を任意に設定できるようにされている。表示順番設定テーブル６に読影者の項目と検査対象部位の項目を設けるのは、もっとも検査しやすい画像の表示順が読影者ごとに異なり、また検査対象部位ごとにも異なる場合があるからである。表示順番設定テーブル６への表示順番の設定は、入力部４から読影者名や読影者の暗証番号などを入力し認証するとともに、検査対象部位とその検査対象部位についての表示順番を入力することで行うことができる。
【００１３】
図３〜図５に、画像格納部１にデータを書き込む際の画像セットにおける複数の画像の書き込み順番と上記の表示順番の関係についての様式の例をイメージ化して示す。図３の例は、読み込みもとの記憶媒体（撮影メモリなど）１１に撮影順で記録されている画像セットの各画像を表示順番設定部５に設定の表示順に並べなおして画像格納部１に格納し、表示の際にはその格納順で表示する様式である。図４の例は、読み込みもとの記憶媒体１１における記録順のまま画像格納部１に格納し、表示の際には表示順番設定部５に設定の表示順で読み出して表示する様式である。図５の例は、基本的には図４の例と同様であるが、サムネイル表示を併用する点で異なっている。すなわち表示順番設定部５に設定の表示順に縮小された各画像を並べてサムネイル表示し、その並び順でサムネイル表示の画像をクリックすることによりその画像の表示を行えるようにしている。
【００１４】
このような画像表示装置を用いての画像の読影は、例えば集団検診での画像の読影の場合であれば次のようにして行われる。読影を担当する読影者は、まず自分の名前や暗証番号を入力部４から入力する。それから画像の表示を指示する。画像の表示指示は、１枚の画像の検査を終えるごとになされる。表示指示を受けての画像の表示は、被験者ごとの画像セットにおける複数の画像を表示順番設定テーブル６に設定されている表示順番で自動的に表示順番を定めてなされる。読影者は、このようにして順番に表示される各画像を読影して病変の有無やその大きさなどを検査する。この検査においては、読影者ごとにもっとも検査しやすい順番による画像の表示が自動的になされるため、読影者が自分に適した表示順を操作する必要のあった従来に比べて、読影者の負担を大幅に軽減することができる。
【産業上の利用可能性】
【００１５】
本発明は、複数の画像の表示順番を予め設定しておくことで読影に際しての読影者の負担を軽減することを可能とするものであり、画像診断の分野で広く利用することができる。
【図面の簡単な説明】
【００１６】
【図１】一実施形態による画像表示装置の構成を示す図である。
【図２】表示順番設定部５における表示順番設定テーブルの構成例を示す図である。
【図３】画像格納部にデータを書き込む際の画像の書き込み順と表示順の関係についての様式の１つの例をイメージ化して示す図である。
【図４】画像格納部にデータを書き込む際の画像の書き込み順と表示順の関係についての様式の他の例をイメージ化して示す図である。
【図５】画像格納部にデータを書き込む際の画像の書き込み順と表示順の関係についての様式のさらに他の例をイメージ化して示す図である。
【符号の説明】
【００１７】
１    画像格納部
２    表示制御部
３    表示部
４    入力部
５    表示順番設定部
６    表示順番設定テーブル
２１    透視台
２２    透視台操作卓
２３    画像処理装置
３１    画像処理部
３２    画像格納部
３３    表示順番設定部
【図１】
2006198169.tif 000003
【図２】
2006198169.tif 000004
【図３】
2006198169.tif 000005
【図４】
2006198169.tif 000006
【図５】
2006198169.tif 000007